(57)【要約】      （修正有）【課題】弁当を購入すると、それが扇付きであるので、扇の用意が不要で済むことになる買い弁当の扇付き包装体を提供する。【解決手段】弁当容器５にご飯や具などを詰めた買い弁当において、弾性変形しうるやや剛性の厚紙の折紙による包装を設け、包装の折紙３に、弁当容器５の平面又は底面に面する扇４１となる範囲を切取り可能に設け、扇４１の一端部に指掛の抜孔を明けるための環状切込み４５を形成してある。【選択図】図１
0003206834.tif 000002
【実用新案登録請求の範囲】
【請求項１】
弁当容器にご飯や具などを詰めた買い弁当において、弾性変形しうるやや剛性の厚紙の折紙による包装を設け、包装の折紙に、弁当容器の平面又は底面に面する扇となる範囲を切取り可能に設け、扇の一端部に指掛の抜孔を明けるための環状切込みを形成してあることを特徴とする買い弁当の扇付き包装体。
【請求項２】
買い弁当が、わっぱ容器に寿司飯のご飯と具としての鱒の切身を敷き詰めるとともにクマザサに包んで内部に設けてなる鱒寿司であることを特徴とする請求項１記載の買い弁当の扇付き包装体。
【請求項３】
扇の範囲の一面または両面に、買い弁当の種類名、産地名などの表記が設けられていることを特徴とする請求項１または２記載の買い弁当の扇付き包装体。
【考案の詳細な説明】
【技術分野】
【０００１】
この考案は、駅の売店、コンビニ、スーパーマーケットなどで販売される買い弁当であって、これに扇付きの包装を設けた買い弁当の扇付き包装体に関する。
【背景技術】
【０００２】
家庭で作る自前弁当は、予め材料を買い揃えておく必要があり、作る手間もかかるばかりか、苦手などの理由で、最近では、駅弁当やコンビニ弁当などの買い弁当が好評に利用されている。なお、駅弁当については、代表的な幕の内弁当のほか、その地方の名産も店頭販売や車中販売で入手される。
【０００３】
従来、買い弁当は、薄い木板の折箱や、プラスチックの成形箱にご飯と具を詰めてあって、蓋をかぶせた上に、軽く又は丁寧に包装がなされた状態で販売される。いずれにしても、扇付けの包装の買い弁当ではなかった。なお、おしぼり付きうちわの提案はあった（特許文献１）。
【先行技術文献】
【特許文献】
【０００４】
【特許文献１】実用新案登録第３１０８１９４号公報
【考案の概要】
【考案が解決しようとする課題】
【０００５】
買い弁当は、昼食いわゆるランチとしてとられるばかりでなく、ピクニック弁当、遠足弁当、花見弁当、運動会弁当などとしても利用されることも多いが、殊にこのような野外での人の集まりの場では、熱気で涼しさを求めて扇がほしくなることがあったが、忘れずに扇を確実に持参することは従来の提案（おしぼり付きうちわ）でもできなかった。
【０００６】
この考案は、このような事態に備えて、弁当を購入すると、それが扇付きであるので、扇の用意が不要で済むことになる買い弁当の扇付き包装体を提供することを課題とした。
【課題を解決するための手段】
【０００７】
上記の課題を解決するために、この考案は、弁当容器にご飯や具などを詰めた買い弁当において、弾性変形しうるやや剛性の厚紙の折紙による包装を設け、包装の折紙に、弁当容器の平面又は底面に面する扇となる範囲を切取り可能に設け、扇の一端部に指掛の抜孔を明けるための環状切込みを形成してあることを特徴とする買い弁当の扇付き包装体を提供する。
【０００８】
買い弁当の扇付き包装体を上記のように構成したから、弁当を食するために包装を開くときにその中に有する扇の範囲を切り取り、環状切込みの中を指で押し抜いて指掛孔を設けることができるので、親指を掛けながら持つことにより、他の指で押しながら揺らいで風を作ることができる。
【考案の効果】
【０００９】
以上説明したように、この考案によれば、弁当を購入すると、それが扇付きであるので、扇の用意が不要に済むことになり、ピクニック食、運動会食などとするときのように野外で食するときに、熱くても都合よく扇が確実に手に入るというすぐれた効果がある。
【図面の簡単な説明】
【００１０】
【図１】この考案による買い弁当の扇付き包装体の斜視図である。
【図２】同包装体から切り取った扇の斜視図である。
【図３】同買い弁当の扇付き包装体を包装開き状態で示す斜視図である。
【図４】包装折紙の展開図である。
【図５】扇の使用状態を示す斜視図である。
【考案を実施するための形態】
【００１１】
この考案の買い弁当の扇付き包装体における買い弁当としては、ご飯と具とを詰め合わせた普通の弁当のほか、寿司を盛り合わせた寿司弁当など、特に種類を限定するものではない。実施例としては、名産品となっている富山県の「鱒の寿司弁当」を最適なものとして提示する。
【実施例】
【００１２】
買い弁当Ｐは、弁当本体１と、それをくるむようにして折り込まれる厚紙の包装折紙３との組み合わせである。
【００１３】
弁当本体１は、薄い木板を曲げたいわゆるわっぱと称される円形の弁当容器５に寿司飯が詰められ、寿司飯の上に置かれる押蓋９上面に角材からなる一対の持ち手１１，１１が平行において固着されている。なお、寿司飯は、わっぱの底に予め笹が放射状に敷かれた上に詰め込まれ、その上に鱒の切身が敷き詰められ、笹の折り返された上に前記押蓋９が載せられる。
【００１４】
押蓋９が重しとして常時押しに伏せられるよう、弁当容器５の上下には、それぞれ左右一対において竹割材からなる掛棒１３，１３が配置され、上下の掛棒１３，１３間には両端部において輪ゴム１５，１５が掛けてある。
【００１５】
包装折紙３は、押棒１３，１３と平行方向に長くなる略帯状であって、弁当本体１を二つ折りし包み込みして包装できるよう、中間部に二つ折りする二段折り線２３，２３が形成され、弁当本体１を受ける下面片２５に、弁当本体１の側面に立ち上がる内側片２７が折れ線２９を介して連設され、内側片２７に掛棒１３の下に押し込む倒伏片２８を設け、倒伏片２８にＶ字型の反転片３１が先端を下にして連設される。なお、この反転片３１の下に箸や簡易ナイフなどが差し込まれるようになっており（図３の二点鎖線参照）、こうして包装の際に収納しておけば反転片３１で押さえが利いた箸付きとすることができる。
【００１６】
包装の折紙３は、さらに折返しの先端において、前記内側片２７に重なる外側片３３が折れ線３５を介して連設され、その先端には舌片状の止片３７が連設される。前記内側片２７の折れ線２９の中央には止片３７の差込スリット３９が形成されているので、これに止片３７を差し込んで包装の形が止めら保持される。
【００１７】
折紙３の上面となる部分において、幅よりもやや径の大きい円形の扇４１が切取線４３で切り取り可能に形成され、その一端部に指掛孔４６の切取り切込み４５が円形に形成される。また、扇４１の表面には「ますの寿司」の表記４７が、裏面には「富山名産」の表記４９が設けられる。
【００１８】
図５は、切り取った扇を使用している状態を示したもので、親指を掛止孔４６から４本指の手のひら側に押せば、親指を支点として四本の指で反復して押しながら扇を弾性変形させながら反復運動させることができる。なお、このとき表記４７，４９が揺らぎで目立って宣伝効果が得られることになる。
【符号の説明】
【００１９】
Ｐ  買い弁当の扇付き包装体
１  弁当本体
３  包装折紙
５  弁当容器
７  寿司飯
９  押蓋
１１  持手部材
１３  掛棒
４５  環状切込み
４６  指掛孔
４７，４９  表記
【図１】
0003206834.tif 000003
【図２】
0003206834.tif 000004
【図３】
0003206834.tif 000005
【図４】
0003206834.tif 000006
【図５】
0003206834.tif 000007